(57)【特許請求の範囲】
【請求項１】
先端部にアンビルとスピンドルを同軸上に対向して保持するＵ字状のフレームを有するマイクロメータの防熱カバーであって、
前記フレームの底部を収容する形状を有すると共に、前記フレームに対して着脱可能であり、
前記フレームの底部を両側から挟持して前記フレームの底面を覆い、
前記フレームの互いに対向する第１面及び第２面に対してそれぞれ係合する第１カバー部及び第２カバー部と、
前記第１カバー部を前記第１面に、前記第２カバー部を前記第２面にそれぞれ付勢する弾性体と、を有する、防熱カバー。
【請求項２】
前記弾性体は、前記フレームの底面を覆うように、前記第１カバー部から前記第２カバー部に亘って設けられた板ばね又はコイルばねである、請求項１に記載の防熱カバー。
【請求項３】
前記フレームの互いに対向する第１面及び第２面にそれぞれ形成された溝部にそれぞれ係合する爪部を有する、請求項１又は２に記載の防熱カバー。
【請求項４】
先端部にアンビルとスピンドルを同軸上に対向して保持するＵ字状のフレームを有するマイクロメータの防熱カバーであって、
前記フレームの底部を収容する形状を有すると共に、前記フレームに対して着脱可能であり、
収容した前記フレームとの間に空間を形成する内面を有し、
前記内面には、前記フレーム側に突出する凸部が設けられており、
前記フレームとは前記凸部において固定される、防熱カバー。
【請求項５】
前記内面には、前記フレーム側に突出するリブが設けられている、請求項４に記載の防熱カバー。
【請求項６】
前記リブは、端面が前記フレーム側を向いた板状に形成されている、請求項５に記載の防熱カバー。
【請求項７】
前記フレームを収容した状態で前記マイクロメータを自立させるように形成された底面を有する、請求項１〜６のいずれかに記載の防熱カバー。
【請求項８】
基部と、当該基部に対し回動する回動部を有し、
前記底面は、前記基部と前記回動部の下面に連続的に形成された平坦面であり、
前記回動部は、前記基部と前記回動部の下面に前記平坦面が形成されている状態から、前記フレームの底面を覆うように回動できる、請求項７に記載の防熱カバー。
【請求項９】
前記回動部は、前記フレームの底面を覆った状態で前記フレームの底面に係止される係止部を有する、請求項８に記載の防熱カバー。
【請求項１０】
前記回動部は、前記平坦面が形成されている状態で前記基部に係止される係止部を有する、請求項８又は９に記載の防熱カバー。
【請求項１１】
請求項１〜１０のいずれかに記載の防熱カバーを有するマイクロメータ。
【発明の詳細な説明】
【技術分野】
【０００１】
本発明は、防熱カバー及びマイクロメータに関する。特に本発明は、温度による測定結果への影響を低減させることができるマイクロメータの防熱カバーに関する。
【背景技術】
【０００２】
従来、手の熱による熱膨張の影響を抑えることができるマイクロメータとして、特開平１０−２５３３０３号公報（特許文献１）に記載されたものがある。特許文献１に記載されたマイクロメータは、フレームの表面を樹脂で被覆することにより、当該フレームを手で掴んだときに、手の熱がフレームに直接伝わることを防ぎ、手の熱による熱膨張の影響を抑えている。
【先行技術文献】
【特許文献】
【０００３】
【特許文献１】特開平１０−２５３３０３号公報
【発明の概要】
【発明が解決しようとする課題】
【０００４】
しかしながら、特許文献１に記載された従来のマイクロメータでは、高精度な測定が必要な場合には、十分な防熱効果を得ることができず、フレームの熱膨張が測定結果に影響してしまうという問題が生じていた。また、フレームを被覆する樹脂を厚くすれば防熱効果を高めることができるものの、フレームが極めて厚くなってしまい、マイクロメータをスタンドに取り付けて使用するときや、マイクロメータを片手で操作するときに使い勝手が損なわれるという問題が生じていた。
【０００５】
そこで本発明は、上記の課題を解決することのできるマイクロメータの防熱カバーを提供することを目的とする。この目的は特許請求の範囲における独立項に記載の特徴の組み合わせにより達成される。また従属項は本発明の更なる有利な具体例を規定する。
【課題を解決するための手段】
【０００６】
本発明によれば、先端部にアンビルとスピンドルを同軸上に対向して保持するＵ字状のフレームを有するマイクロメータの防熱カバーであって、前記フレームの底部を収容する形状を有すると共に、前記フレームに対して着脱可能であり、前記フレームの底部を両側から挟持して前記フレームの底面を覆い、前記フレームの互いに対向する第１面及び第２面に対してそれぞれ係合する第１カバー部及び第２カバー部と、前記第１カバー部を前記第１面に、前記第２カバー部を前記第２面にそれぞれ付勢する弾性体と、を有する防熱カバーが提供される。
【０００９】
また、上記防熱カバーにおいて、前記弾性体は、前記フレームの底面を覆うように、前記第１カバー部から前記第２カバー部に亘って設けられた板ばね又はコイルばねであってもよい。
【００１０】
また、上記防熱カバーは、前記フレームの互いに対向する第１面及び第２面にそれぞれ形成された溝部にそれぞれ係合する爪部を有していてもよい。
【００１１】
別の観点による本発明は、先端部にアンビルとスピンドルを同軸上に対向して保持するＵ字状のフレームを有するマイクロメータの防熱カバーであって、前記フレームの底部を収容する形状を有すると共に、前記フレームに対して着脱可能であり、収容した前記フレームとの間に空間を形成する内面を有し、前記内面には、前記フレーム側に突出する凸部が設けられており、前記フレームとは前記凸部において固定される、防熱カバーである。
【００１２】
前記内面には、前記フレーム側に突出するリブが設けられていてもよい。
【００１３】
前記リブは、端面が前記フレーム側を向いた板状に形成されていてもよい。
【００１５】
上記防熱カバーは、前記フレームを収容した状態で前記マイクロメータを自立させるように形成された底面を有していてもよい。
【００１６】
上記防熱カバーは、基部と、当該基部に対し回動する回動部を有し、前記底面は、前記基部と前記回動部の下面に連続的に形成された平坦面であり、前記回動部は、前記基部と前記回動部の下面に前記平坦面が形成されている状態から、前記フレームの底面を覆うように回動できてもよい。
【００１７】
前記回動部は、前記フレームの底面を覆った状態で前記フレームの底面に係止される係止部を有していてもよい。
【００１８】
前記回動部は、前記平坦面が形成されている状態で前記基部に係止される係止部を有していてもよい。
【００１９】
別の観点による本発明によれば、上記防熱カバーを有するマイクロメータが提供される。
【図面の簡単な説明】
【００２０】
【図１】防熱カバーの装着時のマイクロメータの正面図である。
【図２】防熱カバーの装着時のマイクロメータの背面図である。
【図３】防熱カバーの非装着時のマイクロメータの正面図である。
【図４】防熱カバーの非装着時のマイクロメータの背面図である。
【図５】防熱カバーは、図１におけるＡＡ’断面を示したものである。
【図６】マイクロメータの正面図である。
【図７】防熱カバーを断面にした状態のマイクロメータの正面図である。
【図８】防熱カバーの上面図である。
【図９】防熱カバーをＸ方向に切断した縦断面図である。
【図１０】防熱カバーをＸ方向から見た縦断面図である。
【図１１】回動部のあるマイクロメータの正面図である。
【図１２】回動部が回動した状態のマイクロメータの正面図である。
【図１３】回動部の先端の係止部を示す縦断面の説明図である。
【図１４】回動部の基部側の係止部を示す縦断面の説明図である。
【発明を実施するための形態】
【００２１】
以下、図面を参照しつつ、発明の実施形態を通じて本発明を説明するが、以下の実施形態は特許請求の範囲に係る発明を限定するものではなく、また、実施形態の中で説明されている特徴の組み合わせのすべてが発明の解決手段に必須であるとは限らない。また、本明細書及び図面において、実質的に同一の機能構成を有する構成要素については、同一の符号を付することにより重複説明を省略する。
【００２２】
図１〜図５は、本発明の一実施形態に係る防熱カバーを有するマイクロメータ１０を示す図である。図１及び図３は、それぞれ防熱カバー装着時及び非装着時のマイクロメータ１０の正面図であり、それぞれ防熱カバー装着時及び非装着時の図２及び図４はマイクロメータ１０の背面図である。図５（ａ）は防熱カバー装着時のマイクロメータ１０の左側面図であり、説明の便宜上、防熱カバー５０のみ、図１におけるＡＡ’断面図を示している。図５（ｂ）は防熱カバーの断面図であり、その一端が開放された状態を示している。
【００２３】
マイクロメータ１０は、略Ｕ字形状を有するフレーム２０と、フレーム２０の一端に設けられたアンビル１２と、フレーム２０の他端に設けられたスピンドル１４と、フレーム２０の前記他端においてフレーム２０に嵌合されたスリーブ３０と、フレーム２０に着脱可能に設けられた防熱カバー５０とを備える。
【００２４】
フレーム２０は、所定形状に加工した金属板の折り曲げ加工により、Ｕ字形状に形成されている。フレーム２０は、その表面において、フレーム２０を被覆する、樹脂等の保護膜を有してもよい。フレーム２０は、それぞれＵ字形状を有する第１面２４及び第２面２６並びに底面２２を有する。
【００２５】
アンビル１２は、Ｕ字形状を有するフレーム２０の一端に設けられ、スピンドル１４は、フレーム２０の他端に設けられる。具体的には、アンビル１２は、フレーム２０が形成する空間において、当該空間に向かってフレーム２０から突出するように設けられる。また、スピンドル１４は、フレーム２０が形成する空間において、当該空間に向かってフレーム２０から突出するように、アンビル１２に対向して設けられる。アンビル１２及びスピンドル１４は、それぞれ円柱形状を有し、それぞれの軸が同一軸上に位置するよう設けられる。スピンドル１４は、アンビル１２との距離が変化するように、当該軸上を移動可能に設けられている。
【００２６】
スリーブ３０は、スピンドル１４が上記軸上を移動できるように、その内側にスピンドル１４を収容する。また、スリーブ３０は、フレーム２０の上記他端において、その一端がスピンドル１４の反対側に嵌合される。
【００２７】
スリーブ３０のアウタースリーブの他端には、スピンドル１４が移動する軸を中心に回転可能に、かつ、当該他端の外側に嵌合されたシンブル３２が設けられている。シンブル３２は、スリーブ３０の内側においてスピンドル１４と連動するように設けられており、スピンドル１４は、シンブル３２の回転量及び回転方向に応じて、上記軸上を所定方向に所定量移動する。それに従い、Ｕ字形状を有するフレーム２０の内側の空間において、アンビル１２とスピンドル１４の一端との距離が変動する。スピンドル１４の他端には、ラチェット３４が設けられている。ラチェット３４は、スピンドル１４に一定以上の負荷がかかったときに空転するように構成されている。
【００２８】
フレーム２０の第１面２４には、表示パネル４０が設けられている。表示パネル４０は、表示部４２と、複数のボタン４４とを有する。表示部４２は、複数のボタン４４のいずれかが押されたときに、例えば、アンビル１２とスピンドル１４との間の距離等、当該ボタンに対応する表示内容を表示する。
【００２９】
防熱カバー５０は、フレーム２０に対して着脱可能に設けられる。防熱カバー５０は、第１面２４及び第２面２６においてフレーム２０に係合し、底面２２を覆うようにフレーム２０を狭持する。具体的には、フレーム２０は、第１面２４及び第２面２４において、それぞれ複数の溝部７２及び７４を有しており、防熱カバー５０は、溝部７２及び７４と係合して、フレーム２０を狭持する。
【００３０】
防熱カバー５０は、フレーム２０の底部を収容する形状を有している。防熱カバー５０は、フレーム２０の第１面２４を覆う第１カバー部５２と、フレーム２０の第２面２６を覆う第２カバー部５４とを有する。第１カバー部５２は、第１面２４から底面２２の一部に亘ってフレーム２０を覆うように構成されており、第２カバー部５４は、第２面２６から底面２２に亘ってフレーム２０を覆うような形状に構成されている。具体的には、第１カバー部５２及び第２カバー部５４は、図１におけるＡＡ’断面において、断面がＬ字形状となるように構成されている。また、第１カバー部５２及び第２カバー部５４は、防熱カバー５０の断面がＵ字形状となるように、それぞれの一端及び他端が互いに向き合うように設けられている。第１カバー部５２及び第２カバー部５４は、少なくとも、フレーム２０の底面２２を含む底部を覆うように構成される。
【００３１】
第１カバー部５２及び第２カバー部５４は、防熱カバー５０の外側に位置する第１部材５８及び６４と、防熱カバー５０の内側に位置する第２部材６０及び６６とを有する。第２部材６０及び６６は、それらの上側の一端において、それぞれ、その表面から内側に突出した爪部６２及び６８を有する。爪部６２及び６８は、防熱カバー５０がフレーム２０に装着されたときに、それぞれ第１面２４及び第２面２６の複数の溝部７２及び７４に嵌るような形状及び配置を有する。第１部材５８及び６４は、防熱カバー５０がフレーム２０に装着されたときに、それらの下側の他端の間において所定の距離を有する隙間７０が形成される形状を有する。
【００３２】
防熱カバー５０は、弾性体の一例である板バネ５６を有する。板バネ５６は、第１カバー部５２から第２カバー部５４に亘って設けられている。具体的には、板バネ５６は、断面がＵ字形状を有しており、その略半分が第１カバー部５２において第１部材５８と第２部材６０との間に設けられ、その略半分が第２カバー部５４において第１部材６４と第２部材６６との間に設けられている。
【００３３】
板バネ５６は、第１カバー部５２において第２部材６０を第２カバー部５４に向かう方向に付勢しており、また、第２カバー部５４において第２部材６６を第１カバー部５２に向かう方向に付勢している。すなわち、板バネ５６は、防熱カバー５０における、第１カバー部５２及び第２カバー部５４のそれぞれの一端が閉じる方向に、第２部材６０及び６６に力が働くよう作用している。これにより、第１カバー部５２及び第２カバー部５４の一端に設けられた爪部６２及び６８は、防熱カバー５０がフレーム２０に装着されたときに、それぞれ、第１面２４及び第２面２６に押し当てられ、溝部７２及び７４と係合する。本実施形態では、防熱カバー５０は、弾性体の一例として板バネ５６を有するが、弾性体はこれに限られず、例えばコイルバネ等、第１カバー部５２及び第２カバー部５４のそれぞれの一端が閉じる方向に、第２部材６０及び６６に力が働くよう作用できるものであればよい。
【００３４】
以上説明した本実施形態によれば、防熱カバー５０によってマイクロメータ１０のフレーム２０の底部を収容できるので、ユーザの手の熱に対する十分な防熱効果を得ることができ、高精度な測定を行うことができる。また、防熱カバー５０がフレーム２０に対して着脱可能に設けられており、必要に応じて防熱カバー５０をフレーム２０に対し着脱できるため、スタンドを用いたり片手で測定したりした場合でも使い勝手を損なうことがなく、高精度な測定を行うことができる。また、本実施形態によれば、必要な防熱のレベルに応じて防熱カバー５０を取り換えて、防熱カバー５０を大型化したり、小型化したりすることができる。
【００３５】
本実施形態によれば、防熱カバー５０における第１カバー部５２及び第２カバー部の一端が閉じる方向に、当該一端が、弾性体の一例である板バネ５６によって付勢されている。これにより、防熱カバー５０における第１カバー部５２及び第２カバー部の一端を、ユーザが手で容易に開閉させることができ、従って、防熱カバー５０をフレーム２０に容易に着脱させることができる。
【００３６】
本実施形態によれば、板バネ５６が第２部材６０及び６６を押圧してフレーム２０を挟み込むとともに、フレーム２０に対して板バネ５６の外側に第１部材５８及び６４を設けているので、防熱性を向上させることができる。また、本実施形態によれば、防熱カバー５０において、板バネ５６と第１部材５８及び６４との間に空間を設けることができるので、第１部材５８及び６４に接触したユーザの手の熱がフレーム２０に伝わりにくく、防熱性をさらに向上させることができる。
【００３７】
次に、本発明の別の実施の形態について説明する。図６は、この実施の形態にかかる防熱カバー８０を有するマイクロメータ１０の図である。図７は、防熱カバー８０を断面にした状態のマイクロメータ１０の正面図である。
【００３８】
マイクロメータ１０のフレーム２０には、当該フレーム２０の底部を収容する防熱カバー８０が取り付けられている。防熱カバー８０は、フレーム２０に対し着脱可能である。
【００３９】
図８は、フレーム２０から取り外した状態の防熱カバー８０の上面図であり、図９は、図８に示す防熱カバー８０のＡ−Ａ’断面図であり、図１０は、図８に示す防熱カバー８０のＢ−Ｂ’断面図である。
【００４０】
防熱カバー８０は、例えばＬ字状に形成され、フレーム２０の表示パネル４０以外の底部を収容し覆っている。防熱カバー８０は、図９における上面が開口し、右側面の一部と、左側面、正面、背面及び底面が閉鎖されている。つまり、防熱カバー８０は、右側面８０ａと、左側面８０ｂと、正面及び背面８０ｃと、底面８０ｄを有している。防熱カバー８０の材質には、例えばフレーム２０よりも熱伝導性の低く、断熱性の高い樹脂や金属が用いられている。
【００４１】
防熱カバー８０の底面８０ｄは、平坦になっている。これにより、マイクロメータ１は自立できる。なお、底面８０ｄと、スピンドル１４及びアンビル１２の軸は平行であり、マイクロメータ１０が水平面上に立てられたとき、スピンドル１４とアンビル１２の軸も水平となる。
【００４２】
防熱カバー８０の内面Ｋは、フレーム２０との間に空間Ｅを形成している。防熱カバー８０の内面Ｋには、直立した板状の複数のリブ９０が設けられている。各リブ９０は、Ｕ字状に形成され、面がＸ方向に向けられた状態でＸ方向に並べて設けられている。リブ９０は、Ｘ方向に沿って例えば等間隔で配置されている。リブ９０の内側の空間にフレーム２０が設置され、このとき、各リブ９０は、端面９０ａが内側のフレーム２０に向いた状態で、フレーム２０の底面２２と第１面２４及び第２面２６を囲む。
【００４３】
防熱カバー８０の底面８０ｄには、上方に突出する複数、例えば２つの凸部９１が形成されている。凸部９１は、Ｕ字状のリブ９０の底部分よりも上方に突出している。凸部９１の中心には貫通孔９１ａが形成されている。一方、フレーム２０の底面２２には、図７に示すように凸部９１が挿入可能な凹部９２が形成されている。凹部９２の底の中央にはネジ穴９３が形成されている。防熱カバー８０の凸部９１をフレーム２０の凹部９２に挿入し、防熱カバー８０の下から貫通孔９１ａにネジ９４を通しネジ穴９３に取り付けることにより防熱カバー８０とフレーム２０が固定されている。このように防熱カバー８０は、フレーム２０に対し着脱可能である。なお、防熱カバー８０とフレーム２０は、外力が付与されていないときに凸部９１以外の部分では接触せず、リブ９０の端面９０ａを含む防熱カバー８０とフレーム２０との間には、隙間Ｄが形成されていてもよい。
【００４４】
防熱カバー８０の右側面８０ａには、凹状の切欠き１００が形成されており、この切欠き１００内にフレーム２０が収容されている。
【００４５】
以上のように構成されたマイクロメータ１０による測定時には、測定者が防熱カバー８０を握ってマイクロメータ１０を保持する。また、必要に応じて防熱カバー８０をフレーム２０から取り外し、マイクロメータ１０をスタンドに装着して使用する。さらに、必要に応じて、防熱カバー８０を取り付けた状態で、マイクロメータ１０を自立させて使用する。
【００４６】
本実施の形態によれば、防熱カバー８０によってマイクロメータ１０のフレーム２０の底部を収容できるので、ユーザの手の熱に対する十分な防熱効果を得ることができ、高精度な測定を行うことができる。また、防熱カバー８０がフレーム２０に対して着脱可能に設けられており、必要に応じて防熱カバー８０をフレーム２０に対し着脱できるため、スタンドを用いたり片手で測定したりした場合でも使い勝手を損なうことがなく、高精度な測定を行うことができる。
【００４７】
防熱カバー８０は、収容したフレーム２０との間に空間Ｅを形成する内面Ｋを有しているので、防熱カバー８０の熱がフレーム２０に伝わり難く、測定者の熱よるフレーム２０の熱膨張をより効果的に防止できる。
【００４８】
防熱カバー８０の内面Ｋには、フレーム２０側に突出するリブ９０が設けられているので、測定者が防熱カバー８０を保持した際の防熱カバー８０の内側への歪みを抑制できる。これにより、防熱カバー８０に外力が付加されたときの防熱カバー８０とフレーム２０との接触が抑制され、防熱カバー８０からフレーム２０への熱の伝達が抑制されるので、フレーム２０の熱膨張を抑制できる。
【００４９】
また、リブ９０は、端面９０ａがフレーム２０側を向いた板状に形成されているので、リブ９０がフレーム２０に接触したとしても、面積の小さい端面９０ａが接触するだけなので、防熱カバー８０からフレーム２０への熱伝導を最小限に抑えることができる。なお、リブ９０の形状は、円柱状など他の形状であってもよい。
【００５０】
防熱カバー８０の内面Ｋの底面８０ｄには、フレーム２０側に突出する凸部９１が設けられており、防熱カバー８０とフレーム２０は、凸部９１においてネジ留めされている。これにより、防熱カバー８０とフレーム２０の接触量が低減され、防熱カバー８０とフレーム２０の間の熱伝達を抑えることができる。なお、本実施の形態では、防熱カバー８０がフレーム２０に対しネジにより固定されていたが、互いに嵌合させるなど他の固定手段により固定してもよい。
【００５１】
また、防熱カバー８０の底面８０ｄが平坦でマイクロメータ１０を水平面上に自立させることができるので、必要に応じてマイクロメータ１０をスタンド状態で使用できる。この場合、マイクロメータ１０をスタンドに取り付ける必要がないので、マイクロメータ１０を手に持つ使用状態とマイクロメータ１０を机などに置く使用状態を瞬時に迅速に切り替えることができるので、使い勝手が極めてよい。
【００５２】
なお、本実施の形態における防熱カバー８０のように上記実施の形態の防熱カバー５０も、例えば底面に平坦面を形成してマイクロメータ１０を自立させることができてもよい。また、必ずしも、防熱カバー８０や防熱カバー５０の底面に平坦面を形成してマイクロメータ１０を自立させる必要はなく、マイクロメータ１０が自立できるものであれば、凹凸などを有する他の形状や、他の構造であってもよい。
【００５３】
前記実施の形態で記載した防熱カバー８０は、図１１及び図１２に示すように回動部１１０を有するようにしてもよい。かかる場合、例えば防熱カバー８０が、アンビル１２側の基部１１１から表示パネル４０の下方の位置まで延長され、その延長部分が回動部１１０になっている。なお、基部１１１は、防熱カバー８０の回動部１１０以外の部分とする。回動部１１０と基部１１１の下面により、連続する平坦な底面８０ｄが形成されている。回動部１１０は、基部１１１に対しヒンジ１２０により接続されている。ヒンジ１２０は、例えば回動部１１０と基部１１１の接続部の上端部に形成されている。回動部１１０は、回動部１１０と基部１１１の下面（底面８０ｄ）が平坦な状態からヒンジ１２０を軸として回動し、フレーム２０の湾曲した底面２２に接触して、当該底面２２を覆うことができる。
【００５４】
例えば回動部１１０の先端には、図１３に示すようにフレーム２０の底面２２に接着した状態で係止される係止部１２１が設けられている。例えば係止部１２１は、フレーム２０の底面２２側に突出する凸状に形成されており、当該係止部１２１をフレーム２０に形成された凹部１２２に引っ掛けて、回動部１１０をフレーム２０に固定することができる。
【００５５】
また、図１４に示すように例えば回動部１１０の基部１１１側の端部には、係止部１２３が設けられている。係止部１２３は、基部１１１側に延び、その先端には上方に突出する凸部１２３ａが形成されている。基部１１１には、係止部１２３が嵌め込まれる溝１２４が形成されている。回動部１１０の係止部１２３を基部１１１の溝１２４に嵌め込み係止することにより、回動部１１０と基部１１１の下面（底面８０ｄ）が平坦な状態で固定される。
【００５６】
マイクロメータ１０を自立させた状態で使用する際には、回動部１１０が基部１１１に対し直線的に延ばされ、平坦な広い底面８０ｄが確保される。マイクロメータ１０を例えば片手で持って使用する際には、回動部１１０が回動され、フレーム２０の底面２２に接触し、底面２２が覆われる。これにより、防熱カバー８０がコンパクト化され、持ちやすくなる。
【００５７】
なお、この例の防熱カバー８０のように上記実施の形態の防熱カバー５０も、回動部１１０、基部１１１、係止部１２１、１２３等を備え、回動部１１０が回動してフレーム２０の底面２２を覆う状態と、回動部１１０と基部１１１とで平坦面が形成されている状態を切り替え可能であってもよい。
【００５８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５９】
例えばフレーム２０の底部を収容する形状を有すると共に、フレーム２０に対して着脱可能であれば、本発明に係る防熱カバーは、防熱カバー５０、８０以外の他の形状を有するものであってもよい。
【符号の説明】
【００６０】
１０・・・マイクロメータ、１２・・・アンビル、１４・・・スピンドル、２０・・・フレーム、２２・・・底面、２４・・・第１面、２６・・・第２面、３０・・・スリーブ、３２・・・シンブル、３４・・・ラチェット、４０・・・表示パネル、５０、８０・・・防熱カバー、５２・・・第１カバー部、５４・・・第２カバー部、５６・・・板バネ、５８、６４・・・第１部材、６０、６６・・・第２部材、６２、６８・・・爪部、７０・・・隙間、７２、７４・・・溝部
【図１】
0005601910.tif 000002
【図２】
0005601910.tif 000003
【図３】
0005601910.tif 000004
【図４】
0005601910.tif 000005
【図５】
0005601910.tif 000006
【図６】
0005601910.tif 000007
【図７】
0005601910.tif 000008
【図８】
0005601910.tif 000009
【図９】
0005601910.tif 000010
【図１０】
0005601910.tif 000011
【図１１】
0005601910.tif 000012
【図１２】
0005601910.tif 000013
【図１３】
0005601910.tif 000014
【図１４】
0005601910.tif 000015